(57)【要約】【課題】国際ローミングサービスを利用している携帯電話機において現地時刻を自動的に通知する。【解決手段】制御部１１１は、時刻を計時し、音声合成部１０９を介して現地時刻を表す音声データを合成する。現地時刻を表す音声データを、送受信部１０２を介して発呼側電話機へ音声通知する。【選択図】図７
2006217268.tif 000002
【特許請求の範囲】
【請求項１】
自機が所在している地域の現地時刻を取得する取得手段と、
着呼があった場合に、前記取得手段によって取得された現地時刻を発呼側電話機へ通知する通知手段とを備える
ことを特徴とする携帯電話機。
【請求項２】
前記通知手段は、
前記取得手段により取得された現地時刻を音声により表した音声データを合成する音声合成部と、
前記音声合成部によって合成された音声データを発呼側電話機へ通知する音声通知部とを含む
ことを特徴とする請求項１記載の携帯電話機。
【請求項３】
前記取得手段は、
時刻を計時する時刻計時部と、
前記時刻計時部により計時されている時刻と自機が所在している地域の現地時刻との差分に相当する時差値を記憶する記憶部と、
前記時刻計時部によって計時される時刻から前記記憶部が記憶する時差値に基づいて現地時刻を算出する時刻算出部とを含む
ことを特徴とする請求項１記載の携帯電話機。
【請求項４】
前記取得手段は、
計時機能を有する無線基地局から自機の所在している地域の現地時刻を受信することにより前記取得を行う
ことを特徴とする請求項１記載の携帯電話機。
【請求項５】
前記携帯電話機は、さらに、
各地域の基準地域との時差を、地域を識別する地域識別用情報と対応づけて予め記憶している時差記憶手段と、
自機の所在している地域を示す地域識別情報を取得する位置取得手段と、
前記位置取得手段によって取得された地域識別情報と同一の地域を示す地域識別用情報と対応づけて記憶されている時差を前記時差記憶手段から取得する時差取得手段とを備え、
前記取得手段は、
基準地域の時刻を計時する時刻計時部と、
前記時刻計時部によって計時される時刻から前記時差取得手段によって取得された時差に基づいて現地時刻を算出する時刻算出部とを含む
ことを特徴とする請求項１記載の携帯電話機。
【請求項６】
前記携帯電話機は、さらに、
自機の所在している地域を示す地域識別情報を取得する位置取得手段を備え、
前記通知手段は、
前記位置取得手段によって取得された地域識別情報を、現地時刻とともに、発呼側電話機へ通知する
ことを特徴とする請求項１記載の携帯電話機。
【請求項７】
前記携帯電話機は、さらに、
地域を識別する地域識別情報とその地域の位置的範囲を示す範囲情報とを対応づけて予め記憶している範囲記憶手段と、
自機の所在している位置を、ＧＰＳ測位機能によって取得するＧＰＳ測位手段とを備え、
前記位置取得手段は、
前記ＧＰＳ測位手段によって取得した位置を含む範囲を示す範囲情報と対応づけて記憶されている地域識別情報を、前記範囲記憶手段から読み出すことで地域識別情報を取得する
ことを特徴とする請求項５または請求項６いずれか記載の携帯電話機。
【請求項８】
前記携帯電話機は、さらに、
地域を識別する地域識別情報とその地域の位置的範囲を示す範囲情報とを対応づけて予め記憶している範囲記憶手段と、
無線基地局の所在する位置を発信する無線基地局から無線基地局の所在する位置を受信する位置受信手段とを備え、
前記位置取得手段は、
前記位置受信手段によって受信した位置を含む範囲を示す範囲情報と対応づけて記憶されている地域識別情報を、前記範囲記憶手段から読み出すことで地域識別情報を取得する
ことを特徴とする請求項５または請求項６いずれか記載の携帯電話機。
【請求項９】
前記携帯電話機は、さらに、
現地時刻を通知することを許可するか否かを電話番号と対応づけて予め記憶している番号記憶手段と、
発呼側電話機の電話番号を取得する番号取得手段と、
前記番号取得手段によって取得した電話番号と、前記番号記憶手段によって現地時刻を通知することを許可しないように記憶されている電話番号と、が一致するときに、前記通知手段によって発呼側電話機へとなされる現地時刻の通知を抑止する通知抑止手段とを備える
ことを特徴とする請求項１記載の携帯電話機。
【請求項１０】
前記携帯電話機は、さらに、
電話番号と、現地時刻を通知するのに用いられる言語と、を対応づけて予め記憶している言語記憶手段と、
発呼側電話機の電話番号を取得する番号取得手段とを備え、
前記音声合成部は、
前記番号取得手段によって取得した電話番号と、前記言語記憶手段によって記憶されている電話番号と、が一致するときに、前記言語記憶手段によって電話番号と対応づけて記憶されている言語で表現された音声データを合成する
ことを特徴とする請求項２記載の携帯電話機。
【請求項１１】
前記携帯電話機は、さらに、
地域を識別する地域識別情報とその地域の位置的範囲を示す範囲情報とを対応づけて予め記憶している範囲記憶手段と、
発呼側電話機の所在している位置を示す情報を無線基地局から受信する受信手段と、
前記受信手段によって受信した位置を含む範囲を示す範囲情報と対応づけて記憶されている地域識別情報を前記範囲記憶手段から読み出し発呼側電話機の所在している地域を示す地域識別情報として取得する地域取得手段と、
地域識別情報と、現地時刻を通知するのに用いられる言語と、を対応づけて予め記憶している言語記憶手段とを備え、
前記音声合成部は、
前記地域取得手段によって取得した発呼側電話機の所在している地域を示す地域識別情報と、前記言語記憶手段によって記憶されている地域識別情報と、が一致するときに、前
記言語記憶手段によって地域識別情報と対応づけて記憶されている言語で表現された音声データを合成する
ことを特徴とする請求項２記載の携帯電話機。
【請求項１２】
前記携帯電話機は、さらに、
地域を識別する地域識別情報とその地域の位置的範囲を示す範囲情報とを対応づけて予め記憶している範囲記憶手段と、
発呼側電話機の所在している位置を示す情報を無線基地局から受信する受信手段と、
前記受信手段によって受信した位置を含む範囲を示す範囲情報と対応づけて記憶されている地域識別情報を前記範囲記憶手段から読み出し発呼側電話機の所在している地域を示す地域識別情報として取得する地域取得手段と、
自機の所在している地域を示す地域識別情報を取得する位置取得手段と、
地域間の時差を地域識別情報と対応づけて予め記憶している地域間時差記憶手段と、
前記地域取得手段によって取得された発呼側電話機の所在している地域を示す地域識別情報と、前記位置取得手段によって取得された自機の所在している地域を示す地域識別情報をもとに、発呼側電話機の所在している地域と自機の所在している地域との間の時差を前記地域間時差記憶手段から取得する時差取得手段とを備え、
前記通知手段は、
前記時差取得手段によって取得された時差を、現地時刻とともに、発呼側電話機へ通知する
ことを特徴とする請求項１記載の携帯電話機。
【請求項１３】
着呼側電話機と発呼側電話機とからなる電話システムであって、
前記着呼側電話機は、
自機が所在している地域を示す地域識別情報を取得する第１位置取得手段と、
着呼があった場合に、前記第１位置取得手段によって取得した自機が所在している地域を示す地域識別情報を発呼側電話機へ通知する通知手段とを備え、
前記発呼側電話機は、
地域間の時差を地域識別情報と対応づけて予め記憶している地域間時差記憶手段と、
自機が所在している地域を示す地域識別情報を取得する第２位置取得手段と、
前記通知手段によって通知された着呼側電話機の所在している地域を示す地域識別情報を受信する受信手段と、
前記受信手段によって受信された着呼側電話機の所在している地域を示す地域識別情報と前記第２位置取得手段によって取得された自機が所在している地域を示す地域識別情報をもとに、着呼側電話機の所在している地域と自機の所在している地域との間の時差を前記地域間時差記憶手段から取得する時差取得手段と、
自機が所在している地域の現地時刻を取得する取得手段と、
前記時差取得手段によって取得された時差と、前記取得手段によって取得された自機の所在している地域の現地時刻とから、着呼側電話機の所在する地域の現地時刻を計算し出力する時刻出力手段とを備える
ことを特徴とする電話システム。
【発明の詳細な説明】
【技術分野】
【０００１】
本発明は、携帯電話機に関し、特に、国際ローミング可能な携帯電話機に関する。
【背景技術】
【０００２】
近年においては、携帯電話機の国際ローミングサービスの利用が増加してきている。国際ローミングサービスとは、海外でも現地の事業者の設備を使用して通話などのサービスを受けることができることをいう。国内でも海外でも使用できる携帯電話機が普及してくるにつれて、国際ローミングサービスの利用が増加してくるものと考えられる。
また、従来の携帯電話機には、留守番電話機能が備わっており（特許文献１参照）、国際ローミングサービス利用時でも使用することができる。この留守番電話機能によって、着呼側ユーザは、電話を受けることができない状況で電話がかかってきたときであっても、着呼側ユーザが折り返し電話をかける前に、発呼側ユーザの電話の用件を知ることができる。また、発呼側ユーザにとっても、着呼側ユーザと通話ができなかったとしても、留守番電話機能によって、緊急性の高い用件などの存在を着呼側ユーザに伝えることができれば、着呼側ユーザから早期に折り返し電話をしてもらえることを期待できるなどの利点がある。
【特許文献１】特開２００４−３２０３１５号公報
【発明の開示】
【発明が解決しようとする課題】
【０００３】
しかしながら、海外で国際ローミングサービスを利用している携帯電話機において、留守番電話機能を用いると、次のような課題がある。
すなわち、国内の発信者は、受信者が海外にいることを知っていれば問題はないが、受信者が海外にいることを知らないで電話する場合がある。この場合、国内の発信者は、受信者が海外にいるとは知らず国内にいるものと思い、留守番電話機能によって、緊急性の高い用件の存在を録音し、早期の折り返し電話を求めることがある。しかし、受信者は、実際には海外におり、また海外と国内との間で時差が存在するため、受信者が夜間のため睡眠中の状態で電話に出られない状況であれば、国内の発信者が受信者からの早期の折り返し電話を期待しても、受信者が睡眠中で電話に出られないため、発信者の期待通りにはならない場合がある。
【０００４】
本発明は、上記課題を解決する合理的手段を提供することを目的としている。
【課題を解決するための手段】
【０００５】
上記目的を達成するために、本発明は、自機が所在している地域の現地時刻を取得する取得手段と、着呼があった場合に、前記取得手段によって取得された現地時刻を発呼側電話機へ通知する通知手段とを備える。
【発明の効果】
【０００６】
これにより、着呼があった場合に、電話を受けることができないときであっても、発呼側ユーザに現地時刻を伝えることができる。その結果、発呼側ユーザは、着呼側ユーザの所在する地域の現地時刻と、着呼側ユーザが時差のある海外にいることを認識した上で、留守録メッセージの録音を行うなどの対応をとることが可能となる。それゆえに、留守録メッセージによって着呼側ユーザに緊急の用件を伝えたにもかかわらず折り返しの電話に待ち焦がれるといった事態を防止することができる。
【０００７】
また、前記通知手段は、前記取得手段により取得された現地時刻を音声により表した音
声データを合成する音声合成部と、前記音声合成部によって合成された音声データを発呼側電話機へ通知する音声通知部とを含むこととしてもよい。
これにより、発呼側電話機と着呼側電話機が呼接続されていれば、音声によって現地時刻を発呼側電話機へ通知することが可能となる。特に、着呼側電話機のローミング先の通信事業者が電子メールやＳＭＳ（Short Message Service）などのデータ通信のローミングに対応していない場合に有用である。
【０００８】
また、前記取得手段は、時刻を計時する時刻計時部と、前記時刻計時部により計時されている時刻と自機が所在している地域の現地時刻との差分に相当する時差値を記憶する記憶部と、前記時刻計時部によって計時される時刻から前記記憶部が記憶する時差値に基づいて現地時刻を算出する時刻算出部とを含むこととしてもよい。
これにより、携帯電話機に記憶されている時刻を用いて現地時刻を通知することができる。
【０００９】
また、前記取得手段は、計時機能を有する無線基地局から自機の所在している地域の現地時刻を受信することにより前記取得を行うこととしてもよい。
これにより、ユーザが特に携帯電話機を操作して現地時刻になるよう時計を調整することなく、現地時刻を発呼側電話機に通知することが可能となる。
また、前記携帯電話機は、さらに、各地域の基準地域との時差を、地域を識別する地域識別用情報と対応づけて予め記憶している時差記憶手段と、自機の所在している地域を示す地域識別情報を取得する位置取得手段と、前記位置取得手段によって取得された地域識別情報と同一の地域を示す地域識別用情報と対応づけて記憶されている時差を前記時差記憶手段から取得する時差取得手段とを備え、前記取得手段は、基準地域の時刻を計時する時刻計時部と、前記時刻計時部によって計時される時刻から前記時差取得手段によって取得された時差に基づいて現地時刻を算出する時刻算出部とを含むこととしてもよい。
【００１０】
これにより、自機が所在している位置がわかれば、自機が所在している地域の現地時刻を知ることが可能となるので、ユーザが特に携帯電話機を操作して現地時刻になるよう時計を調整することなく、現地時刻を発呼側電話機に通知することが可能となる。
また、前記携帯電話機は、さらに、自機の所在している地域を示す地域識別情報を取得する位置取得手段を備え、前記通知手段は、前記位置取得手段によって取得された地域識別情報を、現地時刻とともに、発呼側電話機へ通知することとしてもよい。
【００１１】
これにより、発呼側電話機のユーザは、着呼側電話機の所在している地域の現地時刻と所在している地域名を知ることができるので、現地時刻のみを知る場合に比べて、より柔軟な対応が可能となる。
また、前記携帯電話機は、さらに、現地時刻を通知することを許可するか否かを電話番号と対応づけて予め記憶している番号記憶手段と、発呼側電話機の電話番号を取得する番号取得手段と、前記番号取得手段によって取得した電話番号と、前記番号記憶手段によって現地時刻を通知することを許可しないように記憶されている電話番号と、が一致するときに、前記通知手段によって発呼側電話機へとなされる現地時刻の通知を抑止する通知抑止手段とを備えることとしてもよい。
【００１２】
これにより、通話相手に応じて現地時刻を通知するか否かを決定することができ、現地時刻の通知を望まない相手に対して現地時刻を知らせることを防止することができる。
また、前記携帯電話機は、さらに、電話番号と、現地時刻を通知するのに用いられる言語と、を対応づけて予め記憶している言語記憶手段と、発呼側電話機の電話番号を取得する番号取得手段とを備え、前記音声合成部は、前記番号取得手段によって取得した電話番号と、前記言語記憶手段によって記憶されている電話番号と、が一致するときに、前記言語記憶手段によって電話番号と対応づけて記憶されている言語で表現された音声データを
合成することとしてもよい。
【００１３】
これにより、通話相手に応じて通知する言語を決定することができ、特定の言語で現地時刻を通知したい相手に対しては、適切な言語で通知することが可能となる。
また、前記携帯電話機は、さらに、地域を識別する地域識別情報とその地域の位置的範囲を示す範囲情報とを対応づけて予め記憶している範囲記憶手段と、発呼側電話機の所在している位置を示す情報を無線基地局から受信する受信手段と、前記受信手段によって受信した位置を含む範囲を示す範囲情報と対応づけて記憶されている地域識別情報を前記範囲記憶手段から読み出し発呼側電話機の所在している地域を示す地域識別情報として取得する地域取得手段と、地域識別情報と、現地時刻を通知するのに用いられる言語と、を対応づけて予め記憶している言語記憶手段とを備え、前記音声合成部は、前記地域取得手段によって取得した発呼側電話機の所在している地域を示す地域識別情報と、前記言語記憶手段によって記憶されている地域識別情報と、が一致するときに、前記言語記憶手段によって地域識別情報と対応づけて記憶されている言語で表現された音声データを合成することとしてもよい。
【００１４】
これにより、発呼側電話機の所在する国に応じた言語で現地時刻を通知することができ、通話相手に応じて適切な言語で現地時刻を通知することが可能となる。
また、前記携帯電話機は、さらに、地域を識別する地域識別情報とその地域の位置的範囲を示す範囲情報とを対応づけて予め記憶している範囲記憶手段と、発呼側電話機の所在している位置を示す情報を無線基地局から受信する受信手段と、前記受信手段によって受信した位置を含む範囲を示す範囲情報と対応づけて記憶されている地域識別情報を前記範囲記憶手段から読み出し発呼側電話機の所在している地域を示す地域識別情報として取得する地域取得手段と、自機の所在している地域を示す地域識別情報を取得する位置取得手段と、地域間の時差を地域識別情報と対応づけて予め記憶している地域間時差記憶手段と、前記地域取得手段によって取得された発呼側電話機の所在している地域を示す地域識別情報と、前記位置取得手段によって取得された自機の所在している地域を示す地域識別情報をもとに、発呼側電話機の所在している地域と自機の所在している地域との間の時差を前記地域間時差記憶手段から取得する時差取得手段とを備え、前記通知手段は、前記時差取得手段によって取得された時差を、現地時刻とともに、発呼側電話機へ通知することとしてもよい。
【００１５】
これにより、発呼側電話機のユーザは、着呼側電話機の所在している地域の現地時刻に加えて、発呼側電話機の所在している地域と着呼側電話機の所在している地域との時差を知ることができるので、現地時刻のみを知る場合に比べてより柔軟な対応が可能となる。
また、着呼側電話機と発呼側電話機とからなる電話システムであって、前記着呼側電話機は、自機が所在している地域を示す地域識別情報を取得する第１位置取得手段と、着呼があった場合に、前記第１位置取得手段によって取得した自機が所在している地域を示す地域識別情報を発呼側電話機へ通知する通知手段とを備え、前記発呼側電話機は、地域間の時差を地域識別情報と対応づけて予め記憶している地域間時差記憶手段と、自機が所在している地域を示す地域識別情報を取得する第２位置取得手段と、前記通知手段によって通知された着呼側電話機の所在している地域を示す地域識別情報を受信する受信手段と、前記受信手段によって受信された着呼側電話機の所在している地域を示す地域識別情報と前記第２位置取得手段によって取得された自機が所在している地域を示す地域識別情報をもとに、着呼側電話機の所在している地域と自機の所在している地域との間の時差を前記地域間時差記憶手段から取得する時差取得手段と、自機が所在している地域の現地時刻を取得する取得手段と、前記時差取得手段によって取得された時差と、前記取得手段によって取得された自機の所在している地域の現地時刻とから、着呼側電話機の所在する地域の現地時刻を計算し出力する時刻出力手段とを備えることとしてもよい。
【００１６】
これにより、着呼側電話機のユーザは、現地時刻を通知することなく、着呼側電話機の所在している地域名を発呼側電話機に通知することで、発呼側電話機の側で時差を計算させ、発呼側電話機に着呼側電話機の所在する地域の現地時刻を知らせることができる。
【発明を実施するための最良の形態】
【００１７】
以下、本発明の実施の形態について説明する。
〔実施の形態１〕
＜構成＞
図１は、本発明に係る携帯電話機の機能ブロック図である。
本発明に係る携帯電話機は、アンテナ１０１と、送受信部１０２と、変復調部１０３と、記憶部１０４と、操作部１０５と、表示部１０６と、音声入力部１０７と、音声出力部１０８と、音声合成部１０９と、位置情報取得部１１０と、制御部１１１とを備える。
【００１８】
アンテナ１０１は、例えば、伸縮性のあるロッドアンテナが用いられる。
送受信部１０２は、アンテナ１０１を介して通信データの送受信を行う。通信データとは、音声、文字、画像、制御情報などをいう。
変復調部１０３は、制御部１１１から入力された通信データを変調して送受信部１０２へ出力する。また、送受信部１０２から入力された通信データを復調して制御部１１１へ出力する。
【００１９】
記憶部１０４は、画像、テキストデータなどを記憶する。また、地域名とその地域の位置的範囲とを対応づけて記憶する。
操作部１０５は、通話開始キー、通話終了キー、テンキーなどからなり、ユーザの操作を受付ける。受付けた操作の内容を、入力信号として制御部１１１に出力する。
表示部１０６は、液晶パネル、有機ＥＬなどによって実現され、制御部１１１から受け取った信号に基づいて、メニュー、現在時刻、通話相手の電話番号などを表示する。
【００２０】
音声入力部１０７は、マイクであり、入力された音声を制御部１１１へ出力する。
音声出力部１０８は、スピーカであり、制御部１１１から入力された音声信号をもとに、通話音声や録音メッセージなどを再生する。
音声合成部１０９は、ROM（Read Only Memory）を備え、地域名を表す音声データと、０から５９までの数字を表す音声データと、定型文を表す音声データを記憶しており、制御部１１１から入力された文字データをもとに音声データを合成する。
【００２１】
位置情報取得部１１０は、無線基地局から受信する位置情報や、ＧＰＳ測位機能によって得られた位置情報を取得する。また、取得した位置情報に対応づけて記憶されている地域名を、制御部１１１を介して記憶部１０４から読み出すことで自機が所在している地域名を取得する。
制御部１１１は、携帯電話機の各部を制御する機能を有し、ＣＰＵ（ Central Processing Unit ）、ＲＯＭ、ＲＡＭ（ Random Access Memory ）などからなり、ＲＯＭに格納されているプログラムにしたがって、基地局との通信、着信時の処理、留守録メッセージの再生などの制御を行う。
【００２２】
また、制御部１１１は、時刻を計時する計時機構を有する。計時機構は、ある時点での時刻を記憶するメモリと、一定時間ごとにメモリ内の時刻を加算するカウンタとからなる。
＜動作＞
本発明の実施の形態１に係る携帯電話機について、図７に示すフローチャートを参照しながら説明する。
【００２３】
図７は、制御部１１１が行う制御のうち着信処理を示すフローチャートである。
制御部１１１は、着信があると（Ｓ７１）、留守番電話機能が有効となっているかどうかを判断し（Ｓ７２）、相手側電話機と回線を接続する（Ｓ７３）。続いて、自身の有する計時機構によって計時し、計時した時刻を文字データとする処理を行う（Ｓ７４）。次に、位置情報取得部により位置情報を取得し、自機の所在している地域を判定する（Ｓ７５）。そして、現在時刻と自機の所在する地域の地域名とを含む文字メッセージを構築する（Ｓ７６）。文字メッセージを構築したら、音声合成部１０９を介して文字メッセージを音声合成し、相手側電話機へ音声送信し（Ｓ７７）、その後、回線を切断する（Ｓ７８）。
【００２４】
なお、留守番電話機能が有効となっていない場合は（Ｓ７２：Ｎ）、通常の応答処理を行う（Ｓ７９）。
ステップ７６、ステップ７７において、制御部１１１が、現地時刻を計時し、現地時刻を通知するときの動作について補足説明する。
制御部１１１は、自身の有する計時機構によって計時されている時刻を読み出し、読み出した時刻を現地時刻とする。
【００２５】
現地時刻が得られたら、音声合成部１０９へ、現地時刻を表す音声データを合成するよう指示するために、時刻を表す文字データを生成し（Ｓ７４）、音声合成部１０９へ出力する。
音声合成部１０９は、あらかじめ数字の０から５９までを表す音声データを記憶している。音声合成部１０９が制御部１１１から時刻を表す文字データを受信すると、文字データに基づいて音声データを合成する（Ｓ７６）。例えば、音声合成部１０９が、「〜時」を示す「ジ」、「〜分」を示す「フン」、「２」を示す「ニ」、「５」を示す「ゴ」という音声データを記憶していて、制御部１１１から「２時５分」を示す文字データが入力されると、音声合成部１０９は、「２時５分」を示す「ニジ、ゴフン」という音声データを合成する。音声データを合成すると、制御部１１１は、音声データを音声合成部１０９から受取り、送受信部１０２を介して相手側電話機へ通話音声と同様に送信する（Ｓ７７）。
【００２６】
現地時刻のデータ生成・送出と並行して、制御部１１１は、位置情報取得部１１０により取得（Ｓ７５）した自機の所在する地域を表す音声データを合成する指示をするために、自機の所在する地域を表す文字データを生成し（Ｓ７６）、音声合成部１０９へ出力する。
音声合成部１０９は、地域名を表す音声データを予め記憶している。例えば、地域名がスペインであれば、スペインを表す「スペイン」という音声データを記憶していて、制御部１１１から地域名スペインを表す文字データが入力されると、音声合成部１０９は「スペイン」という音声データを合成する。音声データを合成すると、制御部１１１は、音声データを音声合成部１０９から受取り、送受信部１０２を介して相手側電話機へ通話音声と同様の通信態様で送信する（Ｓ７７）。相手側電話機へ通知する音声データは、例えば、留守番電話機能においては、「・・・ただいま電話に出ることができません。現地時刻は２時５分です。滞在国はスペインです。ご用件のある方は、メッセージをどうぞ。・・・」などとして相手側電話機へ通知される。
【００２７】
このようにして、発信側は、受信者の所在する地域名と現地時刻を音声データで得られるため、発明の効果で記載したように、相手の状況を認識して適格なメッセージを送出するなどの対応が可能となる。
〔実施の形態２〕
次に、本発明に係る携帯電話機の別の実施の形態２について説明する。
【００２８】
実施の形態２は、通話相手に応じて現地時刻を通知するか否かを決定する点と、通話相手に応じて現地時刻を通知する言語を決定する点に特徴がある。
以下、〔実施の形態１〕との相違点に主眼を置きつつ説明する。
＜構成＞
記憶部１０４は、図２に示す通知許可・通知言語リスト２０を記憶している。
【００２９】
通知許可・通知言語リスト２０は、現地時刻を通知することを許可するか否かを、電話番号と対応付けて記憶しており、また、通知に使用する言語も、電話番号と対応付けて記憶している。図２の通知許可・通知言語リスト２０を簡単に説明すると、通知許可・通知言語リスト２０には、記憶部１０４が記憶する位置を示す番地２１と、名前２２と、電話番号２３と、時刻通知許可フラグ２４と、言語２５が記憶されている。
【００３０】
名前２２は、個人名に限らず電話番号を保有する会社や団体等の名称も含まれる。
電話番号２３は、数字の組み合わせからなる。
時刻通知許可フラグ２４は、時刻通知許可を示す「可」または時刻通知を許可しない「否」からなる。「可」のときは、電話番号にある電話番号に対して現地時刻を通知することを許可し、「否」のときは許可しない。
【００３１】
言語２５は、現地時刻を通知するのに使用する言語である。
上記の他に、記憶部１０４は、「番号非通知」「番号通知不可能」「通知許可・通知言語リスト２０にない番号」についても、ユーザ設定情報として記憶している。
音声合成部１０９は、音声データを合成する際に、複数の言語を指定して音声データを合成することができる。具体的には、音声合成部１０９は、定型文と、数字と、地域名について各言語ごとに音声データをもっており、音声データを合成する際に、合成に使用する言語の指定があると、その言語に対応した音声データを読み出すことで音声データを合成する。
＜動作＞
実施の形態２に係る携帯電話機は、着信があった場合に、留守番電話機能が有効になっていると、まず、制御部１１１によって、図３に示すフローチャートにしたがって、現地時刻を通知するか否かを決定する。現地時刻を通知する場合は、制御部１１１は、図４に示すフローチャートにしたがって、現地時刻を通知する言語を決定する。現地時刻の通知を許可し、さらに通知に使用する言語も決定されると、制御部１１１は、現地時刻を計時する。さらに、音声合成部１０９へ、現地時刻を表す音声データを、図４に示すフローチャートにしたがって決定された言語を使用して合成するよう指示するために、時刻を表す文字データを生成し、音声合成部１０９へ出力する。音声合成部１０９が音声データを合成すると、制御部１１１は、音声データを音声合成部１０９から受取り、送受信部１０２を介して相手側電話機へ通話音声と同様に送信する。例えば、留守番電話機能において日本語を用いて音声データを合成した場合は、「・・現地時刻は２時５分です。・・」などとして相手側電話機へ通知されるが、英語を用いて音声データを合成した場合は、「・・It's 2:05.・・」などとして相手側電話機へ通知される。
【００３２】
なお、制御部１１１が現地時刻を計時するときの動作及び現地時刻を通知するときの動作については〔実施の形態１〕と同一であるため説明を省略する。
以下、通話相手に応じて現地時刻を通知するか否かを決定するときの処理について、図３を参照しながら説明する。その次に、通話相手に応じて現地時刻を通知する言語を決定するときの動作について、図４を参照しながら説明する。
【００３３】
図３を参照して、通話相手に応じて現時遅刻を通知するか否かを決定する処理を説明する。制御部１１１は、変復調部１０３から入力されたデータに電話番号を示すデータがあるか否かを判定する（Ｓ３１）。
電話番号の通知ありと判定した場合（Ｓ３１：Ｙ）、その電話番号が通知許可・通知言語リスト２０にある電話番号２３と一致するか否かを判定し（Ｓ３２）、通知許可・通知言語リスト２０にある電話番号２３と一致する場合は（Ｓ３２：Ｙ）、時刻通知許可フラグ２４を参照し、通知を許可しない番号か否かを判断する（Ｓ３３）。
【００３４】
時刻通知許可フラグ２４が「否」となっている場合は（Ｓ３３：Ｙ）、時刻通知不許可と決定し（Ｓ３５）、「可」となっている場合は（Ｓ３３：Ｎ）、時刻通知許可と決定する（Ｓ３６）。
なお、番号非通知または番号通知不可能（Ｓ３１：Ｎ）、番号通知はあるが通知許可・通知言語リスト２０にない電話番号に対しては（Ｓ３２：Ｎ）、制御部１１１は、予め記憶部１０４に記憶させておいたユーザ設定があるか否かを判断する（Ｓ３４）。記憶部１０４にユーザ設定がないと判断した場合は（Ｓ３４：Ｙ）、時刻通知許可と決定することとしている（Ｓ３６）が、時刻通知不許可と決定することとしてもよい。
【００３５】
一方、記憶部１０４にユーザ設定が記憶されていると判断した場合は（Ｓ３４：Ｎ）、ユーザ設定に従って通知の可否を決定する。
次に、通話相手に応じて現地時刻を通知する言語を決定する処理を、図４を参照して説明する。
制御部１１１は、変復調部１０３から入力されたデータに電話番号を示すデータがあるか否かを判定し（Ｓ４１）、電話番号の通知ありと判定した場合は（Ｓ４１：Ｙ）、その電話番号が通知許可・通知言語リスト２０にある電話番号２３と一致するか否かを判定する（Ｓ４２）。通知許可・通知言語リスト２０にある電話番号２３と一致する場合は（Ｓ４２：Ｙ）、言語２５を参照して、言語２５にある言語を、現地時刻を通知する言語と決定する（Ｓ４４）。
【００３６】
他方、番号非通知または番号通知不可能（Ｓ４１：Ｎ）、番号通知はあるが通知許可・通知言語リスト２０にない電話番号に対しては（Ｓ４２：Ｎ）、制御部１１１は、予め記憶部１０４に記憶させておいたユーザ設定があるか否かを判断する（Ｓ４３）。記憶部１０４にユーザ設定がないと判断した場合は（Ｓ４３：Ｙ）、現地時刻を通知する言語の設定がないと判定し、音声合成部１０９が使用可能な何れかの言語を、現地時刻を通知する言語と決定する（Ｓ４５）。記憶部１０４にユーザ設定が記憶されていると判断した場合は（Ｓ４３：Ｎ）、ユーザ設定に従って通知に使用する言語を決定する（Ｓ４６）。
【００３７】
なお、「番号非通知」「番号通知不可能」「通知許可・通知言語リスト２０にない電話番号」からの電話のように、通話相手を特定できない場合は、上述した図３および図４の説明にあるように、記憶部１０４に記憶されているユーザ設定にしたがって、現時時刻の通知を許可するか否かということと、時刻の通知に使用する言語を決定する。
〔実施の形態３〕
次に、本発明に係る別の実施の形態３について説明する。
【００３８】
実施の形態３は、通話相手の国名に応じて時刻を通知するのに使用する言語を決定するという点に特徴がある。
以下、実施の形態１との相違点に主眼を置きつつ説明する。
＜構成＞
記憶部１０４は、図５に示す対応言語リスト５０を記憶している。
【００３９】
対応言語リスト５０は、時刻を通知するのに使用する言語を、国名と対応付けて記憶している。図５の対応言語リスト５０について簡単に説明すると、対応言語リスト５０には、記憶部１０４に記憶する位置を示す番地５１と、国名５２と、言語５３が記憶される。
国名５２は、国の名前を示しているが、国の名前に限らず、地域名も含まれる。
言語５３は、現地時刻を通知するのに使用する言語である。
【００４０】
音声合成部１０９は、音声データを合成する際に、複数の言語を指定して音声データを合成することができる。具体的には、音声合成部１０９は、定型文と、数字と、地域名について各言語ごとに音声データをもっており、音声データを合成する際に、合成に使用する言語の指定があると、その言語に対応した音声データを読み出すことで音声データを合成する。
＜動作＞
実施の形態３に係る携帯電話機は、着信があった場合に、留守番電話機能が有効になっていると、まず、制御部１１１によって、図６に示すフローチャートにしたがって、現地時刻を通知するのに使用する言語を決定する。通知に使用する言語が決定されると、制御部１１１は、現地時刻を計時する。現地時刻を計時すると、図６に示すフローチャートにしたがって決定された言語を使用して現地時刻を表す音声データを合成するよう音声合成部１０９へ指示するための、時刻を表す文字データを生成する。文字データを生成すると、音声合成部１０９へ出力する。音声合成部１０９が音声データを合成すると、音声データを音声合成部１０９から受取り、送受信部１０２を介して相手側電話機へ通話音声と同様の通信態様で送信する。
【００４１】
なお、制御部１１１が現地時刻を計時するときの動作及び現地時刻を通知するときの動作については〔実施の形態１〕と同一であるため説明を省略する。
以下、通話相手の国名に応じて時刻を通知するのに使用する言語を決定するときの処理について、図６を参照しながら説明する。
図６を参照して、制御部１１１は、変復調部１０３から入力されたデータに発呼側の所在する地域を示す情報が含まれているか判定し、含まれていれば、発呼側電話機の所在する地域を判定する（Ｓ６１）。ここで、発呼側の所在する地域を判定するためには、送受信部１０２が、発呼側電話機のＧＰＳ測位機能により測位された発呼側電話機の位置を表す位置情報を無線基地局から受信し、制御部１１１が、その位置情報と対応づけて記憶されている地域名を記憶部１０４から読み出すことで発呼側電話機の所在する地域名を判定する、という処理で実現できる。なお、ここでいう地域名とは、国名も含まれる。
【００４２】
次に、制御部１１１は、制御部１１１が判定した発呼側電話機の所在する地域名が対応言語リスト５０にある国名と一致するか否かを判定する（Ｓ６２）。
対応言語リスト５０にある国名と一致する場合は（Ｓ６２：Ｙ）、対応言語リスト５０にある言語５３を参照して現地時刻を通知する言語を決定する（Ｓ６３）。対応言語リスト５０にある国名と一致しない場合、または通話相手の所在する国が判定不可能である場合は（Ｓ６２：Ｎ）、通知する言語の設定がないと判定し、音声合成部１０９が使用可能な何れかの言語を、現地時刻を通知する言語と決定する（Ｓ６４）。
＜補足＞
以上のように、発明の実施の形態について説明してきたが、本発明の実施の形態は、これらの形態に限られない。例えば、下記列挙の形態での実施ができる。
（１）上記実施の形態においては、着呼側電話機から発呼側電話機へ、着呼側電話機の所在する地域の現地時刻を通知することとしているが、これに限らず、着呼側電話機から発呼側電話機へ、着呼側電話機の所在する地域を表すデータを送信することとする。この方法によっても、発呼側電話機は、着呼側電話機の所在する地域を示す位置情報をもとに、発呼側の地域と着呼側の地域の時差を求めて、この時差と発呼側電話機の所在する地域の現地時刻から、着呼側電話機の所在する地域の現地時刻を求めることができる。発呼側の地域と着呼側の地域との時差を求めるためには、発呼側電話機の記憶部に、地域間の時差を地域名と対応づけて記憶させておき、受信した着呼側電話機の所在する地域を表すデータと位置情報取得部により取得した自機の所在する地域名をもとに、記憶部に記憶させておいた地域間の時差を読み出すことで発呼側の地域と着呼側の地域との時差を求めること
ができる。
（２）上記実施の形態においては、発呼側電話機へ、着呼側電話機の所在する地域の現地時刻や所在する地域名を通知することとしているが、通知する内容は、これらに限られず、発呼側電話機と着呼側電話機のそれぞれが所在する地域の時差を通知することもできる。時差を通知することによっても、発呼側電話機は、時差と、自機の所在する地域の時刻から着呼側電話機の現地時刻を知ることができる。
【００４３】
時差を通知するためには、時差を求める必要がある。時差を求めるには、各地域間の時差を記憶部１０４が記憶し、発呼側電話機の所在する地域と、着呼側電話機の所在する地域が判明すればよい。発呼側電話機の所在する地域を知る方法は、既に〔実施の形態３〕で説明したので省略する。また、自機の所在する地域を知る方法は、位置情報取得部１１０により可能である。発呼側電話機と着呼側電話機の所在している地域が判明すれば、制御部１１１が、発呼側電話機と着呼側電話機の所在している地域間の時差を記憶部１０４が記憶している各地域間の時差から取得することで、時差を求めることができる。このようにして求められた時差を、制御部１１１が送受信部１０２を介して送信すれば、発呼側電話機へ時差を通知することができる。
（３）上記実施の形態においては、現地時刻を計時するときの動作は、制御部１１１の備える計時機構によって計時されている時刻をそのまま現地時刻としているが、これに限らず、記憶部１０４に、制御部１１１の備える計時機構によって計時されている時刻と現地時刻との差分を示す時差値を記憶させておき、制御部１１１の備える計時機構によって計時されている時刻と記憶部１０４に記憶されている時差値から現地時刻を計時することもできる。
【００４４】
このようにすると、制御部１１１の備える計時機構によって計時されている時刻を変更しなくても、時差値を変更することで現時時刻を計時することができる。
（４）上記実施の形態においては、現地時刻を計時するときの動作は、制御部１１１の備える計時機構によって計時することとしているが、計時する方法は、これらに限られず、計時機能を有する無線基地局から時刻を受信し、受信した時刻を現地時刻として計時することとしてもよい。
【００４５】
また、自機が所在している地域名をもとに現地時刻を計時することも可能である。具体的な方法について説明する。
制御部１１１の計時機構に、任意の地域の時刻を記憶させておく。任意の地域を基準地域といい、基準地域の時刻を基準時刻という。
記憶部１０４には、位置情報と地域名とが対応づけて記憶されているのに加えて、地域名と基準地域との時差が、地域名と対応づけて記憶されている。
【００４６】
制御部１１１は、位置情報取得部１１０により、自機が所在している地域を示す位置情報を取得する。位置情報を取得する方法は、無線基地局から基地局の位置情報を受信し、受信した位置情報を自機の位置情報とする方法と、ＧＰＳ測位機能を使用して自機の所在している位置を取得する方法がある。
次に、記憶部１０４から、自機が所在している位置に対応づけて記憶されている地域名を読み出す。読み出した地域名と基準地域との時差を記憶部１０４から読み出すことで、基準地域との時差を求める。記憶部１０４から読み出した基準地域との時差と、制御部１１１の計時機構に計時されている基準時刻から、自機が所在している地域の現地時刻を計算によって求め、求められた時刻を現地時刻とする。
（５）上記〔実施の形態３〕においては、発呼側電話機の所在している地域を示す情報を取得するのに、発呼側電話機のＧＰＳ測位機能によって測位された位置情報をもとに発呼側電話機の所在する地域を示す情報を取得することとしているが、他に、発呼側電話機の無線基地局の位置を表す位置情報からも、発呼側電話機の所在する地域を示す情報を取得
することができる。
（６）上記〔実施の形態１〕においては、音声データによって着呼側電話機の所在する地域の現地時刻を通知することとしているが、本発明においては、現地時刻を通知する方法は、音声データに限らないことは勿論のことである。音声データの他に、文字情報として画面に表示することによっても、また、アイコンなどの画像の表示や、電子メールなどによっても通知することができる。
（７）上記実施の形態においては、留守番電話機能が有効となっているときに現地時刻を通知することとしているが、留守番電話機能に限らず、電話に出られないときに通話開始を保留する応答保留時や、電話に出られないときに通話開始を拒否する着信拒否時においても現地時刻を通知することができる。
【産業上の利用可能性】
【００４７】
本発明は、携帯電話機において利用され得る。
【図面の簡単な説明】
【００４８】
【図１】本実施の形態に係る携帯電話機の機能ブロック図である。
【図２】現地時刻の通知の可否および通知に使用する言語を電話番号と対応づけて記憶する通知許可・通知言語リストを示す図である。
【図３】通話相手に応じて現地時刻を通知するか否かを決定する処理を示すフローチャートである。
【図４】通話相手に応じて現地時刻を通知する言語を決定する処理を示すフローチャートである。
【図５】時刻を通知するのに使用する言語を、国名と対応付けて記憶している対応言語リストを示す図である。
【図６】通話相手の国名に応じて時刻を通知するのに使用する言語を決定する処理を示すフローチャートである。
【図７】本実施の形態に係る携帯電話機の行う処理を示すフローチャートである。
【符号の説明】
【００４９】
１０１  アンテナ
１０２  送受信部
１０３  変復調部
１０４  記憶部
１０５  操作部
１０６  表示部
１０７  音声入力部
１０８  音声出力部
１０９  音声合成部
１１０  位置情報取得部
１１１  制御部
【図１】
2006217268.tif 000003
【図２】
2006217268.tif 000004
【図３】
2006217268.tif 000005
【図４】
2006217268.tif 000006
【図５】
2006217268.tif 000007
【図６】
2006217268.tif 000008
【図７】
2006217268.tif 000009